(57)【要約】  移動体通信システムにおける移動局（１００）が、サービス中の基地局（３００）から受信したコマンドに従属してその伝送速度を下げ、所定の時間期間が進行中である場合を除いて、サービス中の基地局（３００）から受信したコマンドに従属してその伝送速度を上げる。移動局は、サービス中でない基地局（２００、４００）から受信したコマンドに従属してその伝送速度を下げ、かかるコマンドの受信に応じて所定の時間期間を始め、同じサービス中でない基地局（２００、４００）からの追加コマンドに応じて所定の時間期間を終了する。
2008529342.tif 000002
【特許請求の範囲】
【請求項１】
複数の局を含む通信システムにおける第１の通信装置を操作する方法であって、
第１の局からの第１のコマンドの受信に応じて、パラメータ値を下げること、および第１の所定の時間期間の計時を始めることと、
前記第１の局からの第２のコマンドの受信に応じて、前記計時が進行中の場合には前記第１の所定の時間期間の計時を終了することと、
第２の局からの第１のコマンドの受信に応じて、前記パラメータ値を下げることと、
前記第２の局からの第２のコマンドの受信に応じて、前記第１の所定の時間期間の計時が進行中でない限り、前記パラメータ値を上げることとを含む方法。
【請求項２】
第３の局からの第１のコマンドの受信に応じて、パラメータ値を下げること、および第２の所定の時間期間の計時を始めることと、
前記第３の局からの第２のコマンドの受信に応じて、前記第２の所定の時間期間の計時が進行中の場合には前記第２の所定の時間期間の計時を終了することと、
前記第２の局からの第２のコマンドの受信に応じて、前記第１および第２の所定の時間期間のうち少なくとも１つの計時が進行中でない限り、前記パラメータ値を上げることとをさらに含む請求項１に記載の方法。
【請求項３】
前記パラメータ値の増大および低減が、伝送速度、伝送電力、変調方式、伝送される搬送周波数の数、伝送されるタイムスロットの数、伝送される拡散符号の数、拡散率、符号レートのうち少なくとも１つの調整を示す請求項１または２に記載の方法。
【請求項４】
複数の局からコマンドを受信するための手段と、
前記受信コマンドに応じて、パラメータ値を調整するための調整手段と、
１つまたは複数の所定の時間期間を計時するための計時手段と、を含み、
第１の局からの第１のコマンドの受信に応じて、前記調整手段が前記パラメータ値を下げるように適合され、前記計時手段が第１の所定の時間期間の計時を開始するように適合され、
前記第１の局からの第２のコマンドの受信に応じて、前記計時手段が前記第１の所定の時間期間の計時を終了するように適合され、
第２の局からの第１のコマンドの受信に応じて、前記調整手段が前記パラメータ値を下げるように適合され、
前記第２の局からの第２のコマンドの受信に応じて、前記計時手段による前記第１の所定の時間期間の計時が進行中でない限り、前記調整手段が前記パラメータ値を上げるように適合される通信装置。
【請求項５】
第３の局からの第１のコマンドの受信に応じて、前記調整手段が前記パラメータ値を下げるように適合され、前記計時手段が第２の所定の時間期間の計時を開始するように適合され、
前記第３の局からの第２のコマンドの受信に応じて、前記計時手段が前記第２の所定の時間期間の計時を終了するように適合され、
前記第２の局からの前記第２のコマンドの受信に応じて、前記計時手段による前記第１および第２の所定の時間期間のうち少なくとも１つの計時が進行中でない限り、前記調整手段が前記パラメータ値を上げるように適合される請求項４に記載の通信装置。
【請求項６】
前記パラメータ値の増大および低減が、伝送速度、伝送電力、変調方式、伝送される搬送周波数の数、伝送されるタイムスロットの数、伝送される拡散符号の数、拡散率、符号レートのうち少なくとも１つの調整を示す請求項４または５に記載の方法。
【請求項７】
請求項４から６のいずれかに記載の通信装置と、前記通信装置と通信するための複数の局とを含む通信システム。
【発明の詳細な説明】
【技術分野】
【０００１】
本発明は通信装置、通信装置操作方法、通信装置を含む通信システムに関する。本発明は、限定はしないが、特に、ＵＭＴＳ（Universal Mobile Telecommunication System）などの移動体通信装置およびシステムに適用される。
【背景技術】
【０００２】
ＵＭＴＳ／ＥＵＬ（Enhanced Uplink）の現提案によれば、「サービス中の」（"serving"）基地局（ＢＳ）および「サービス中でない」（"non-serving"）基地局は、以下のコマンドを移動局（ＭＳ）に伝送することにより、ＭＳに与えられる伝送速度を調整することができる。「−１」コマンドは他のコマンドに優先する。
サービス中のＢＳ：   「速度を上げろ」（＋１）
「速度を下げろ」（−１）または
「現在の速度を保て」（ＤＴＸ）
サービス中でないＢＳ：「速度を下げろ」（−１）または
「無視しろ」（ＤＴＸ）
ただし「ＤＴＸ」は伝送が無いことを表す。
【０００３】
本明細書では、「サービス中の」基地局とは、特定のＭＳからの伝送を受信するように構成されているＢＳを意味し、「サービス中でない」基地局とは、当該ＭＳからの伝送を受信することはできるが、そうする必要のないＢＳを意味する。通常はサービス中のＢＳの方が、サービス中でないＢＳより、ＭＳで用いられる伝送パラメータを強力に制御し、その結果、通常は、サービス中でないＢＳによるより、サービス中のＢＳによって信頼性のより高いＭＳ伝送受信がなされる。通常、各ＭＳは、サービス中のＢＳには１つとだけ関連し、サービス中でないＢＳには同時に複数と関連することができる。
【０００４】
サービス中のＢＳだけがＭＳにその伝送速度を上げる許可を与える権限を有するので、サービス中でないＢＳは＋１信号を伝送することはできない。
【０００５】
この方式で生じ得る１つの問題は、サービス中でないＢＳが−１を伝送し、ＭＳの伝送速度が許容レベルまで落ち、その後ＤＴＸが続く一方で、サービス中のＢＳが、より高い受信電力レベルを要するより高い速度を許容でき、そこで＋１を間断なく伝送する場合、サービス中のＢＳとサービス中でないＢＳにより、与えられる伝送速度に２つの値の間で切替えが生じてしまう可能性があることである。この切替えに伴うさらなる問題は、サービス中でないＢＳからの頻繁な信号伝送であり、これは下りリンク（ＢＳからＭＳへ）の資源を浪費し、他ユーザへの干渉をより多く引き起こすことになる。
【０００６】
この切替えを打開する１つの方法は、ＭＳの伝送速度がその許容レベルを十分下回るまで、全てのサービス中でないＢＳが「−１」を間断なく伝送することである。しかし、このことは、下りリンク信号伝送が膨大な量となる問題の解決にはならないし、また結果としてＭＳからの伝送速度を実際に可能なはずである場合より低くしてしまう。
【０００７】
任意のサービス中でないＢＳから最新の「−１」コマンドが受信された後、所定の時間期間が終了するまでＭＳがサービス中のＢＳからの「＋１」コマンドを無視することになるように、ヒステリシス期間（hysteresis period）を含むことも知られている。このような方式が、図１に示されている。図１では、グラフ（ａ）が、サービス中のＢＳにより１伝送時間間隔（ＴＴＩ）の間隔毎に伝送される一連の「＋１」コマンド１１０を示す。グラフ（ｃ）は、時間ｔ＝０に伝送された「＋１」コマンドに応じて、伝送速度がＭＳにより速度Ｒ１からＲ２に上げられていることを示す。グラフ（ｂ）は、サービス中でないＢＳにより時間ｔ＝１に伝送された「−１」コマンド１２０を示し、これに応じてグラフ（ｃ）では伝送速度が下げられる。サービス中のＢＳからの次の３つの「＋１」コマンドが無視されるように、「−１」コマンドの受信後、４ＴＴＩの所定の期間に及ぶヒステリシス期間Ｔが始まる。所定の時間期間の長さは、長い期間を用いることを意味する、サービス中でないＢＳからの下りリンク信号伝送を低減することと、短い期間を用いることを意味する、ＭＳの潜在的な伝送速度を最大化することとの間の妥協である。したがって、サービス中でないＢＳの状況がヒステリシス期間の終了前に変化してサービス中でないＢＳがＭＳからのより高い伝送速度を許容できる場合、上記のようなヒステリシス期間の使い方では、ＭＳに与えられる速度を必要以上に低くしてしまうことになる。
【発明の開示】
【発明が解決しようとする課題】
【０００８】
本発明の目的は、伝送パラメータの改善された制御を提供することである。
【課題を解決するための手段】
【０００９】
本発明の第１の態様によれば、複数の局を含む通信システムにおける第１の通信装置を操作する方法が提供され、この方法は、
第１の局からの第１のコマンドの受信に応じて、パラメータ値を下げ、第１の所定の時間期間の計時を始めることと、
第１の局からの第２のコマンドの受信に応じて、計時が進行中の場合には第１の所定の時間期間の計時を終了することと、
第２の局からの第１のコマンドの受信に応じて、パラメータ値を下げることと、
第２の局からの第２のコマンドの受信に応じて、第１の所定の時間期間の計時が進行中でない限り、パラメータ値を上げることと、を含む。
【００１０】
本発明の第２の態様によれば、複数の局からコマンドを受信するための手段と、
受信コマンドに応じてパラメータ値を調整するための調整手段と、
１つまたは複数の所定の時間期間を計時するための計時手段と、を含み、
第１の局からの第１のコマンドの受信に応じて、調整手段がパラメータ値を下げるように適合され、計時手段が第１の所定の時間期間の計時を開始するように適合され、
第１の局からの第２のコマンドの受信に応じて、計時手段が第１の所定の時間期間の計時を終了するように適合され、
第２の局からの第１のコマンドの受信に応じて、調整手段がパラメータ値を下げるように適合され、
第２の局からの第２のコマンドの受信に応じて、計時手段による第１の所定の時間期間の計時が進行中でない限り、調整手段がパラメータ値を上げるように適合された通信装置が提供される。
【００１１】
本発明の第3の態様によれば、本発明の第２の態様による通信装置を含む通信システムが提供される。
【００１２】
本発明は、ヒステリシス期間の開始を引き起こした同じ局からのコマンドに応じて、その満了前にヒステリシス期間を終了させる方法を提供することにより、ヒステリシス期間を使用する上記に記載の既知の伝送速度制御方式を強化する方法を提供する。本発明は、例えば、サービス中でないＢＳの干渉レベルが変化してサービス中でないＢＳがＭＳからのより高い伝送速度を許容できる場合に、サービス中でないＢＳが繰返し「−１」コマンドを送らなくても、またサービス中のＢＳが速度を上げることを可能にするために、サービス中でないＢＳがヒステリシス期間を終了できるようにしなくても、認められている伝送速度の切替えが生じないようにすることができる。本発明を用いて、伝送速度の代わりに、またはそれに加えて、他の伝送パラメータが制御されてもよい。
【００１３】
次に本発明が、例として示すに過ぎないが、添付の図面を参照しながら説明される。
【発明を実施するための最良の形態】
【００１４】
本発明によれば、サービス中でないＢＳからのコマンドが定義されて、そのサービス中でないＢＳが、それが伝送したコマンドによって開始されたヒステリシス期間を終了させる方法を提供する。従来、「＋１」コマンドがこの目的を果たすことができ、「−１」コマンドにより開始されたヒステリシス期間を終了させる。サービス中でない基地局により伝送される１組のコマンドの一例、およびそれらがＭＳに対してもつ意味が表１に示されている。
【表１】
2008529342.tif 000003
【００１５】
「＋１」コマンドは、一般には、かかるコマンドがサービス中でない基地局からは伝送されないので、ヒステリシス期間外では適用可能でない。それが万一伝送されても、ＭＳにより無視されるはずである。
【００１６】
図２および図３は本発明の動作の２つの例を示す。図２および図３のどちらも、グラフ（ａ）は、サービス中のＢＳにより１伝送時間間隔（ＴＴＩ）に対応する時間ｔの間隔毎に伝送される「＋１」コマンド１１０を示しており、このＴＴＩは、ＵＭＴＳのプロトコル・スタックにおける物理層とＭＡＣ層の間でプロトコル・データ・ユニット（ＰＤＵ）が転送される際の間隔である。この時間は、ＴＴＩ以外にも、例えば無線フレーム、ハイブリッドＡＲＱ処理周期（hybrid ARQ process periods）、秒、またはタイムスロットなど他の単位で量子化されてよい。
【００１７】
図２では、グラフ（ｃ）が、サービス中のＢＳにより時間ｔ＝０に伝送された「＋１」コマンド１１０に応じて、伝送速度がＭＳにより速度Ｒ１から速度Ｒ２に上げられていることを示す。グラフ（ｂ）は、サービス中でないＢＳにより時間ｔ＝１に伝送された「−１」コマンド１２０を示し、これに応じてグラフ（ｃ）では伝送速度が速度Ｒ２から速度Ｒ１に下げられる。「−１」コマンドの受信後、４ＴＴＩの所定の期間に及ぶヒステリシス期間Ｔが始まる。サービス中のＢＳにより時間ｔ＝２に伝送された「＋１」コマンドは無視され、したがって伝送速度はＲ１のままである。時間ｔ＝３に、サービス中でないＢＳが、例えばそのサービス中でないＢＳにおける干渉が低減するおかげで「＋１」コマンド１３０を伝送すると、この伝送にヒステリシス期間を終了させる効果があり、したがってＭＳが、サービス中のＢＳにより時間ｔ＝３に伝送された「＋１」コマンドの受信に応じて、その後はサービス中のＢＳにより伝送される後続の「＋１」コマンドに応じて、伝送速度を上げることが可能となる。
【００１８】
ヒステリシス期間が、別のサービス中でない局、すなわちヒステリシス期間を開始させたのとは別のサービス中でない局からのコマンドによっては終了されないことに留意されたい。
【００１９】
別サービス中でない基地局により開始されたヒステリシス期間が重複することがあり、何れのヒステリシス期間であれ進行中であれば、ＭＳは受信した「＋１」コマンドを無視する。この状況の一例が図3に示されている。
【００２０】
図３では、グラフ（ｄ）が、サービス中のＢＳにより時間ｔ＝０に伝送された「＋１」コマンド１１０に応じて、伝送速度がＭＳにより速度Ｒ２から速度Ｒ３に上げられていることを示す。グラフ（ｃ）は、第１のサービス中でないＢＳにより時間ｔ＝１に伝送された「−１」コマンド１２０を示し、これに応じてグラフ（ｄ）では伝送速度が速度Ｒ３から速度Ｒ２に下げられ、この「−１」コマンド１２０の受信後、３ＴＴＩの所定の期間に及ぶ第１のヒステリシス期間Ｔcが始まる。ヒステリシス期間Ｔcが進行中なので、サービス中のＢＳにより時間ｔ＝２に伝送された「＋１」コマンドは無視される。
【００２１】
図３のグラフ（ｂ）は、時間ｔ＝２に「−１」コマンド１２０を伝送する第２のサービス中でないＢＳを示し、このコマンドの受信に応じてＭＳが伝送速度をＲ２からＲ１に下げるとともに、３ＴＴＩの所定の期間に及ぶ第２のヒステリシス期間Ｔbも始まる。
【００２２】
図３のグラフ（ｃ）では、時間ｔ＝３に、第１のサービス中でないＢＳが、例えばそのサービス中でないＢＳにおける干渉が低減するおかげで「＋１」コマンド１３０を伝送すると、この伝送には第１のヒステリシス期間Ｔcを終了させる効果はあるが、第２のヒステリシス期間Ｔbを終了させることはない。第２のヒステリシス期間Ｔbはなお進行中なので、サービス中のＢＳにより時間ｔ＝３または４に伝送された「＋１」コマンドの受信に応じてＭＳが伝送速度を上げることはないが、サービス中のＢＳにより時間ｔ＝５に伝送された「＋１」コマンドの受信に応じてＭＳが伝送速度を上げることは可能となる。というのも、そのコマンド後に第２のヒステリシス期間Ｔbが終了するからである。
【００２３】
またＭＳは、ヒステリシス期間が進行中でない場合でも、当該のコマンドが受信されるまでは、サービス中のＢＳにより伝送される「＋１」コマンドへの従属を再開することはできない。
【００２４】
本発明の一部の実施形態では、所定の時間期間が満了する場合であれ、サービス中でないＢＳにより終了させられる場合であれ、ヒステリシス期間終了時における速度変化は何れも、サービス中のＢＳから受信された最新の「速度増大」コマンドとは異なる大きさであってよく、例えば、その速度変化が、ヒステリシス期間中に１つまたは複数のＢＳから受信された速度変化コマンドの総計であってもよい。
【００２５】
増大または低減コマンドは、単一ビットであってもよいし、あるいは例えば所望の伝送速度変化の大きさを示す、ある範囲の異なる値をとってもよい。サービス中の基地局およびサービス中でない基地局により伝送されるコマンドの表現が同一である必要はない。
【００２６】
図４は、第１の通信装置１００、例えばＭＳと、３つの通信局２００、３００、および４００、例えばＢＳとを含む通信システムのブロック概略図を示しており、３つの通信局のうち１つ（３００）はサービス中の局であり、他の２つ（２００、４００）はサービス中でない局である。通信装置１００は、通信局２００、３００、４００と通信するための伝送器（Ｔｘ）１０および受信器（Ｒｘ）２０と、伝送用の信号を生成し、受信コマンドを処理するための、伝送器１０および受信器２０に結合された、例えばプロセッサなどの処理手段３０と、受信コマンドに応じて、記載された方法に従って、処理手段３０により生成される信号の、例えば伝送速度などのパラメータ値を調整するための、処理手段３０に結合された調整手段４０と、１つまたは複数の所定の時間期間を計時するための、処理手段３０に結合された計時手段５０とを含む。図２および図３の例は、２つの所定のヒステリシス期間ＴbおよびＴcを参照して説明されているが、計時は、各所定の時間期間の開始時に再始動される単一のタイマを用いて実装されてもよい。調整手段４０および計時手段５０のどちらか一方または両方が、汎用コンピュータに実装されてもよいし、専用回路を使用するのであってもよい。
【００２７】
本発明は、伝送速度を調整するためのコマンドを参照しながら説明されているが、他のパラメータ、例えば伝送電力、変調方式、伝送される搬送周波数の数、伝送されるタイムスロットの数、伝送される拡散符号の数、拡散率または符号レート（例えば、情報ビットと冗長ビットの割合）の調整にも適用可能である。
【００２８】
特許請求の範囲では、第１および第３の局がサービス中でない局であり、第２の局がサービス中の局であってよい。
【００２９】
本発明は、ＵＭＴＳを参照しながら説明されているが、他のタイプの移動体通信システムおよび装置にも適用可能である。
【００３０】
本明細書および特許請求の範囲で、要素に先行する語「ａ」または「ａｎ」が、複数から成るかかる要素の存在を排他することはない。また語「含む（comprising）」が、本明細書に記載されているもの以外の要素または工程の存在を排他することもない。特許請求の範囲に括弧内の参照符号を含むのは、理解を助けるためであって、限定を意図するものではない。
【００３１】
本開示を読むことにより、当業者には他の修正形態が明らかとなろう。かかる修正形態には、移動体通信の技術分野において既に知られており、本明細書に既に記載されている特徴の代わりに、またはそれに加えて使用し得る、他の特徴を含むことができる。
【図面の簡単な説明】
【００３２】
【図１】従来技術の方法を示すタイミング図である。
【図２】本発明の第１の例を示すタイミング図である。
【図３】本発明の第２の例を示すタイミング図である。
【図４】通信システムのブロック概略図である。
【図１ａ】
2008529342.tif 000004
【図１ｂ】
2008529342.tif 000005
【図１ｃ】
2008529342.tif 000006
【図２ａ】
2008529342.tif 000007
【図２ｂ】
2008529342.tif 000008
【図２ｃ】
2008529342.tif 000009
【図３ａ】
2008529342.tif 000010
【図３ｂ】
2008529342.tif 000011
【図３ｃ】
2008529342.tif 000012
【図３ｄ】
2008529342.tif 000013
【図４】
2008529342.tif 000014
【国際調査報告】
2008529342.tif 000015
2008529342.tif 000016